(57)【特許請求の範囲】
【請求項１】
出入口を備えたキャビネットと、
前記出入口を通じて前記キャビネットから引出し可能なドロアーと、
前記ドロアーの上面に貫設された貫通ホールと、
前記ドロアーの内部に備えられ、水を収容する空間を提供するタブと、
前記タブの上面に貫設され、前記貫通ホールの下側に位置する投入口と、
前記タブの内部に回転可能に備えられ、前記投入口に供給される衣類を収容するドラムと、
前記ドロアー又は前記タブのいずれか一つに備えられ、前記投入口又は前記貫通ホールのいずれか一つを開閉するドアと、
前記ドロアーが前記キャビネットから引き出されるとき、前記ドアが前記出入口と干渉することを防止する、前記キャビネットに備えられたガイドとを含み、
前記ドロアーが、前記ドアが開かれた状態で前記キャビネットから引き出された時、前記ガイドは、前記ドアと接触できるように備えられた、衣類処理装置。
【請求項２】
前記ガイドは、前記キャビネットの内部に回転可能に備えられるホイールを含み、
前記ドロアーの上面から前記ホイールの最下端までの距離は、前記ドロアーの上面から前記出入口までの距離より短い、請求項１に記載の衣類処理装置。
【請求項３】
前記ドロアーは、前記キャビネットの内部に備えられ、前記タブを収容する空間を提供するドロアーボディー、及び前記出入口を開閉するように備えられ、前記ドロアーボディーを前記キャビネットから引き出すドロアーパネルを含み、
前記出入口は、前記キャビネットの一面に貫設され、前記ドロアーボディーが挿入される開放面、及び前記開放面に備えられ、前記ドロアーパネルが前記キャビネットに挿入されることを防止するフランジを含む、請求項１に記載の衣類処理装置。
【請求項４】
前記ガイドは、前記ドアと前記フランジとの間の干渉を防止するように構成される、請求項３に記載の衣類処理装置。
【請求項５】
前記ガイドは、前記キャビネットに固定されたケース、及び前記ケースに回転可能に備えられるホイールを含み、
前記ドロアーボディーの上面から前記ホイールの最下端までの距離は、前記ドロアーボディーの上面から前記フランジまでの距離より短い、請求項４に記載の衣類処理装置。
【請求項６】
前記ホイールは、前記ドロアーボディーの引出し方向に互いに所定距離だけ離隔して備えられる第１ホイール及び第２ホイールを含む、請求項５に記載の衣類処理装置。
【請求項７】
前記ドロアーが前記キャビネットの内部に挿入されて既設定の基準位置に到逹したか又は前記ドロアーが前記キャビネットの内部に挿入された状態で前記ドアが前記投入口を開放したかの少なくとも一つを判断する位置感知部をさらに含む、請求項１に記載の衣類処理装置。
【請求項８】
前記位置感知部は、
前記キャビネット及び前記ドアのいずれか一方に備えられ、磁力を発生させる第１磁力発生部と、
前記キャビネット及び前記ドアの他方に備えられ、前記第１磁力発生部が提供する磁力の大きさを感知する第１磁力感知部とを含む、請求項７に記載の衣類処理装置。
【請求項９】
前記位置感知部は、
前記キャビネットの内部に固定されて磁力を感知する第１磁力感知部と、
前記キャビネットの内部に回転可能に備えられ、前記ドアが前記投入口を開放すると、前記第１磁力感知部に向かって回転するボディーと、
前記ボディーに固定される第１磁力発生部とを含む、請求項７に記載の衣類処理装置。
【請求項１０】
前記位置感知部は、
前記キャビネットの内部に固定され、磁力を感知する第１磁力感知部と、
前記キャビネットの内部に回転可能に備えられ、前記ドアが前記投入口を開放すると、前記第１磁力感知部から遠くなる方向に回転するボディーと、
前記ボディーに固定される第１磁力発生部とを含む、請求項７に記載の衣類処理装置。
【請求項１１】
前記ドロアーは、前記キャビネットの内部に備えられ、前記タブを収容する空間を提供するドロアーボディー、及び前記出入口を開閉するように備えられ、前記ドロアーボディーを前記キャビネットから引き出すドロアーパネルを含み、
前記位置感知部は、前記ドロアーパネルが前記出入口を閉鎖したかを判断する、請求項７に記載の衣類処理装置。
【請求項１２】
前記位置感知部は、
前記キャビネットと前記ドロアーのいずれか一方に備えられ、磁力を発生させる第２磁力発生部と、
前記キャビネットと前記ドロアーの他方に備えられ、前記第２磁力発生部が提供する磁力の大きさを感知する第２磁力感知部とを含む、請求項１１に記載の衣類処理装置。
【請求項１３】
前記ドロアーが前記キャビネットの内部に挿入されたが前記基準位置に到逹しなかったことを使用者に通知し、又は前記ドロアーが前記キャビネットの内部に挿入された状態で前記ドアが前記投入口を開放したことを使用者に通知する表示部をさらに含む、請求項７に記載の衣類処理装置。
【請求項１４】
前記表示部は、文字又は記号を表示し、音を発生させるか、又は光を発散するように構成される、請求項１３に記載の衣類処理装置。
【請求項１５】
前記表示部は、ＬＣＤである、請求項１４に記載の衣類処理装置。
【請求項１６】
前記表示部は、スピーカーである、請求項１４に記載の衣類処理装置。
【請求項１７】
前記表示部は、ランプである、請求項１４に記載の衣類処理装置。
【請求項１８】
前記ドロアーが前記キャビネットに挿入されると、前記ドアの遠位末端は、前記ホイールの回転軸より下側に位置する、請求項２に記載の衣類処理装置。
【請求項１９】
前記ドロアーボディーの上面から前記第１ホイールの最下端までの距離として設定された第１距離は、前記ドロアーボディーの上面から前記第２ホイールの最下端までの距離として設定された第２距離とは異なる、請求項６に記載の衣類処理装置。
【請求項２０】
前記第２ホイールは、前記第１ホイールより出入口に近く位置し、前記第２距離は、前記第１距離より短く設定される、請求項１９に記載の衣類処理装置。
【発明の詳細な説明】
【技術分野】
【０００１】
本発明は衣類処理装置に関するものである。
【背景技術】
【０００２】
一般に、衣類処理装置は衣類（洗濯対象物、乾燥対象物）を洗濯する装置、衣類を乾燥する装置、衣類の洗濯及び乾燥を一緒に遂行することができる装置を含む概念である。
【０００３】
従来の衣類処理装置は、装置の前面に備えられた投入口を通じて衣類を装置に投入するフロントローディング方式と、装置の上面に備えられた投入口を通じて衣類を装置に投入するトップローディング方式に区分された。
【０００４】
トップローディング方式の従来の衣類処理装置は、キャビネット、上面に投入口が備えられ、前記キャビネットの内部に備えられるタブ、前記タブの内部に回転可能に備えられたドラム、及び前記投入口を開閉するドアを含むように構成されることができた。
【発明の概要】
【発明が解決しようとする課題】
【０００５】
本発明は、ドロアーがキャビネットの内部に挿入された状態でドアが投入口を開放しても、前記ドロアーが前記キャビネットから引き出されることができる衣類処理装置を提供することを解決しようとする課題とする。
【０００６】
また、本発明は、ドロアーがキャビネットの内部に挿入されている場合にもドアが投入口を開放した場合、これを使用者に通知することができる衣類処理装置を提供することを解決しようとする課題とする。
【０００７】
また、本発明は、ドロアーがキャビネットに挿入されたかを判断し、これを使用者に通知することができる衣類処理装置を提供することを解決しようとする課題とする。
【０００８】
また、本発明は、投入口を密閉させる効果に優れたシーリング部を含む衣類処理装置を提供することを解決しようとする課題とする。
【０００９】
また、本発明は、ドアが開かれた状態でドロアーがキャビネットから引き出されるときにドアが破損されることを防止することができる衣類処理装置を提供することを解決しようとする課題とする。
【００１０】
また、本発明は、振動などの外部信号などによってドアが開放したと判断することを防止する衣類処理装置を提供することを解決しようとする課題とする。
【００１１】
また、本発明は、前記ドアが投入口を開放したかを磁力によって正確に感知することができる衣類処理装置を提供することを解決しようとする課題とする。
【００１２】
また、本発明は、前記ドアが投入口を開放するかを判断する構成部品に異常が発生したかを把握することができる衣類処理装置を提供することを解決しようとする課題とする。
【課題を解決するための手段】
【００１３】
その他の利点、目的、特徴は一部が以下の詳細な説明に開示され、一部が以下の説明から当業者に明らかになるか実施によって分かるであろう。前記目的及び他の利点は明細書及び請求項だけではなく図面に具体的に開示した構造から実現及び達成することができる。
【００１４】
本発明は上述した課題を解決するために、出入口を備えたキャビネットと、前記出入口を通じて前記キャビネットから引出し可能なドロアーと、前記ドロアーの上面に貫設された貫通ホールと、前記ドロアーの内部に備えられ、水を収容する空間を提供するタブと、前記タブの上面に貫設され、前記貫通ホールの下側に位置する投入口と、前記タブの内部に回転可能に備えられ、前記投入口に供給される衣類を収容するドラムと、前記ドロアー又は前記タブのいずれか一つに備えられ、前記投入口を開閉するドアと、前記ドロアーが前記キャビネットから引き出されるときに前記ドアが前記出入口と干渉することを防止するガイドを含む衣類処理装置を提供する。
【００１５】
前記ガイドは前記キャビネットの内部に回転可能に備えられるホイールを含み、前記ドロアーの上面から前記ホイールの最下端までの距離は前記ドロアーの上面から前記出入口までの距離より短く設定されることができる。
【００１６】
前記ドロアーは、前記キャビネットの内部に備えられ、前記タブを収容する空間を提供するドロアーボディー、及び前記出入口を開閉するように備えられ、前記ドロアーボディーを前記キャビネットから引き出すドロアーパネルを含み、前記出入口は、前記キャビネットの一面に貫設され、前記ドロアーボディーが挿入される開放面、及び前記開放面に備えられ、前記ドロアーパネルが前記キャビネットに挿入されることを防止するフランジを含むことができる。
【００１７】
前記ガイドは前記ドアと前記フランジの間の干渉を防止するように構成されることができる。
【００１８】
前記ガイドは、前記キャビネットに固定されたケース、及び前記ケースに回転可能に備えられるホイールを含み、前記ドロアーボディーの上面から前記ホイールの最下端までの距離は前記ドロアーボディーの上面から前記フランジまでの距離より短く設定されることができる。
【００１９】
前記ホイールは、前記ドロアーボディーの引き出し方向に互いに所定距離だけ離隔して備えられる第１ホイール及び第２ホイールを含むことができる。
【００２０】
本発明は、前記ドロアーが前記キャビネットの内部に挿入されて既設定の基準位置に到逹したか又は前記ドロアーが前記キャビネットの内部に挿入された状態で前記ドアが前記投入口を開放したかの中で少なくとも一つを判断する位置感知部をさらに含むことができる。
【００２１】
前記位置感知部は、前記キャビネットと前記ドアのいずれか一方に備えられ、磁力を発生させる第１磁力発生部と、前記キャビネットと前記ドアの他方に備えられ、前記第１磁力発生部が提供する磁力の大きさを感知する第１磁力感知部とを含むことができる。
【００２２】
前記位置感知部は、前記キャビネットの内部に備えられ、磁力を感知する第１磁力感知部と、前記キャビネットの内部に回転可能に備えられ、前記ドアが前記投入口を開放すれば、前記第１磁力感知部に向かって回転するボディーと、前記ボディーに固定される第１磁力発生部とを含むことができる。
【００２３】
前記位置感知部は、前記キャビネットの内部に備えられ、磁力を感知する第１磁力感知部と、前記キャビネットに回転可能に備えられ、前記ドアが前記投入口を開放すれば、前記第１磁力感知部から遠くなる方向に回転するボディーと、前記ボディーに固定される第１磁力発生部とを含むことができる。
【００２４】
前記ドロアーは、前記キャビネットの内部に備えられ、前記タブを収容する空間を提供するドロアーボディーと、前記出入口を開閉するように備えられ、前記ドロアーボディーを前記キャビネットから引き出すドロアーパネルとを含み、前記位置感知部は前記ドロアーパネルが前記出入口を閉鎖したかを判断するように構成されることができる。
【００２５】
前記位置感知部は、前記キャビネットと前記ドロアーのいずれか一方に備えられ、磁力を発生させる第２磁力発生部と、前記キャビネットと前記ドロアーの他方に備えられ、前記第２磁力発生部が提供する磁力の大きさを感知する第２磁力感知部とを含むことができる。
【００２６】
本発明は、前記ドロアーが前記キャビネットの内部に挿入されたが前記基準位置に到逹しなかったことを使用者に通知するかあるいは前記ドロアーが前記キャビネットの内部に挿入された状態で前記ドアが前記投入口を開放したかを使用者に通知する表示部をさらに含むことができる。
【００２７】
すなわち、本発明は、前記第１磁力感知部が感知した磁力の大きさが既設定の第１基準磁力以上であれば、これを使用者に通知する表示部と、前記第２磁力感知部が感知した磁力の大きさが既設定の第２基準磁力より小さければ、これを使用者に通知する表示部との中で少なくとも一つをさらに含むことができる。
【００２８】
前記表示部は、文字又は記号を表示する装置、音を発生させる装置、及び光を発散する装置の中で少なくとも一つでなることができる。
【００２９】
前記ドロアーが前記キャビネットに挿入されれば、前記ドアの末端は前記ホイールの回転軸より下側に位置することができる。
【００３０】
前記のような一般的な説明及び以降の詳細な説明は例示及び説明のためのもので、請求範囲で主張するような本発明の更なる説明を提供しようとするものであることが理解可能である。
【発明の効果】
【００３１】
前記説明から明らかなように、本発明は、ドロアーがキャビネットの内部に挿入された状態でドアが投入口を開放しても、前記ドロアーが前記キャビネットから引き出されることができる衣類処理装置を提供することができる。
【００３２】
また、本発明は、ドロアーがキャビネットの内部に挿入されている場合にもドアが投入口を開放した場合、これを使用者に通知することができる衣類処理装置を提供することができる。
【００３３】
また、本発明は、ドロアーがキャビネットに挿入されたかを判断し、これを使用者に通知することができる衣類処理装置を提供することができる。
【００３４】
また、本発明は、投入口を密閉させる効果に優れたシーリング部を含む衣類処理装置を提供することができる。
【００３５】
また、本発明は、ドアが開かれた状態でドロアーがキャビネットから引き出されるときにドアが破損されることを防止することができる衣類処理装置を提供することができる。
【００３６】
また、本発明は、ドロアーがキャビネットに挿入されたときにドアが開放される場合、これを感知することができる衣類処理装置を提供することができる。
【００３７】
また、本発明は、前記ドアが開放されることを感知する部品に異常が発生する場合、これを感知することができる衣類処理装置を提供することができる。
【００３８】
また、本発明は、ドアが開放されなかったにもドアが開放したと感知する可能性を減らすか排除することができる衣類処理装置を提供することができる。
【図面の簡単な説明】
【００３９】
【図１】本発明の衣類処理装置の一例を示す図である。
【図２】本発明の衣類処理装置の一例を示す図である。
【図３】ドロアー、タブ及びドラムの結合構造の一例を示す図である。
【図４（ａ）】本発明に備えられたシーリング部の一例を示す図である。
【図４（ｂ）】本発明に備えられたシーリング部の一例を示す図である。
【図５】本発明に備えられたガイドの一例を示す図である。
【図６】本発明に備えられたガイドの一例を示す図である。
【図７】本発明に備えられた第１位置感知部及び第２位置感知部を示す図である。
【図８】本発明に備えられた第１位置感知部及び第２位置感知部を示す図である。
【発明を実施するための形態】
【００４０】
図１及び図２を参照して説明すると、衣類処理装置１００は、キャビネット２、前記キャビネットから引出し可能に備えられるドロアー３、前記ドロアーの内部に備えられ、水を収容するタブ４、及び前記タブの内部に回転可能に備えられ、衣類を収容するドラム５を含む。
【００４１】
前記キャビネット２は衣類処理装置の外観をなす手段であってもよく、単に前記ドロアー３を収容するための空間であってもよい。いずれの場合にも、キャビネット２の前面にはドロアー３が挿入される出入口２１が備えられることが好ましい。
【００４２】
前記出入口２１は、キャビネット２の一面に備えられる開放面２１１、前記開放面２１１の縁部に沿って備えられるフランジ２１３を含むことができる。
【００４３】
前記ドロアー３は、前記出入口２１を通じてキャビネット２の内部に挿入されるドロアーボディー３１、前記ドロアーボディー３１の前面に固定され、前記開放面２１１を開閉するドロアーパネル３３、及び前記ドロアーボディー３１の上面をなすドロアーカバー３５を含む。
【００４４】
前記ドロアーパネル３３はドロアーボディー３１の前面に固定されるから、前記ドロアーボディー３１をキャビネット２から引き出すハンドルの役目もすることができる。
【００４５】
前記ドロアーパネル３３が前記開放面２１１を閉鎖する位置まで移動すれば、前記ドロアーパネル３３は前記フランジ２１３に接触するであろう。よって、前記フランジ２１３は前記ドロアーボディー３１を前記キャビネットの内部に設定された基準位置に位置させる手段であるだけでなく前記ドロアーパネル３３が前記キャビネット２に挿入されることを防止する手段でもある。
【００４６】
前記ドロアーパネル３３には、衣類処理装置１００の作動に関連した制御命令を入力するとともに衣類処理装置の作動に関連したメッセージを使用者に表示するコントロールパネル３３１が備えられることができる。前記コントロールパネル３３１には、制御命令が入力される入力部３３１ａ、及び制御命令を含めた衣類処理装置の作動に関連した信号を表示する表示部３３１ｂが備えられることができる。前記表示部３３１ｂは、文字又は記号を表示する装置（ＬＣＤなど）、音を発生させる装置（スピーカーなど）及び光を発散する装置（ランプなど）の中で少なくともどの一つを含むことができる。
【００４７】
前記ドロアーボディー３１は、前記開放面２１１を通じてキャビネット２に挿入されることができるとともに前記タブ４を収容する空間を提供することができる限り、どんな形状にも形成されることができるが、図１は六面体状のドロアーボディー３１を一例として示すものである。
【００４８】
前記ドロアーカバー３５には、ドロアーボディー３１の内部を外部と連通させる第１貫通ホール３５１及び第２貫通ホール３５３が備えられる。前記第１貫通ホール３５１は衣類の出入のために備えられ、前記第２貫通ホール３５３は衣類の洗濯に必要な水を供給するために備えられるもので、その詳細な説明は後述する。
【００４９】
図２に示したように、前記タブ４は、前記ドロアーボディー３１の内部に位置し、水を収容するタブボディー４１、及び前記タブボディー４１の上面をなすタブカバー４３を含む。前記タブボディー４１は上面が開放した円筒状に形成されることができる。
【００５０】
前記タブカバー４３は、前記タブボディー４１の内部を前記タブボディーの外部と連通させる投入口４３１、及び前記タブボディー４１の内部に水を流入させる供給口４３３を含むことができる。
【００５１】
前記投入口４３１はドロアーカバーに備えられた第１貫通ホール３５１の下側に備えられなければならなく、前記供給口４３３はドロアーカバーの第２貫通ホール３５３に連通するように構成されることが好ましい。
【００５２】
前記投入口４３１はタブボディー４１の内部に衣類を供給するかあるいはタブボディー４１内部の衣類をタブボディーの外部に引き出すための手段である。前記投入口４３１はドロアーカバー５３又はタブカバー４３のいずれか一つに回転可能に備えられるドア４５によって開閉される。
【００５３】
図３はドア４５がタブカバー４３に結合された場合を示すものである。この場合、前記ドア４５は、ヒンジ４５３を介して前記タブカバー４３に回転可能に結合されるフレーム４５１、前記フレームに備えられるウィンドウ４５５、及び前記フレーム４５１を前記タブカバー４３に着脱可能に結合させるハンドル４５７を含むことができる。前記ドロアー３がキャビネット２から引き出された場合、使用者がタブボディー４１の内部を確認することができるように、前記ウィンドウ４５５は透明素材でなることが好ましい。
【００５４】
図４（ａ）及び図４（ｂ）に示したように、前記ハンドル４５７はハンドル軸４５７ｂを介してフレーム４５１に回転可能に結合され、前記ハンドル４５７は固定部４７を介して前記タブカバー４３に着脱可能に固定される。
【００５５】
前記固定部４７は、ハンドル４５７とタブカバー４３のいずれか一方に突設される第１締結部（例えば、フック）４７１、及びハンドル４５７とタブカバー４３の他方に備えられ、前記第１締結部４７１が着脱可能に収容される第２締結部（例えば、フック収容溝）４７３を含むことができる。
【００５６】
前記投入口４３１を介して前記タブボディー４１内部の水がタブボディー４１の外部に排出されることを防止するために、前記フレーム４５１と前記タブカバー４３のいずれか一つには、前記ドア４５が投入口４３１を閉鎖したときにフレーム４５１と投入口４３１の間の空間を密閉させるシーリング部４９がさらに備えられることができる。
【００５７】
前記シーリング部４９は、前記フレーム４５１に固定され、前記フレーム４５１と前記投入口４３１の縁部の間の空間を密閉するシーリングボディー４９１、及び前記シーリングボディー４９１から延設されて前記投入口４３１に挿入される挿入部４９５を含むことができる。
【００５８】
前記シーリングボディー４９１は内部が空いている中空バー（ｈｏｌｌｏｗ  ｂａｒ）形状に形成されることもでき、Ｃ字形の断面を有するように形成されることもできる。いずれの場合にも、前記シーリングボディー４９１はゴムのような弾性体でなることが好ましい。
【００５９】
ただ、前記投入口４３１が閉曲線形（円形、楕円形、多角形など）に形成され、前記シーリングボディー４９１が中空バー状に形成される場合、前記シーリングボディー４９１には接着面が形成されるしかない欠点がある。中空バー状のシーリングボディー（断面Ｏ字形のシーリングボディー）は直線形にのみ製作されるしかないので、中空バー状のシーリングボディー４９１を閉曲線形に形成するためには、断面Ｏ字形のシーリングボディーを一定の長さで切断した後、両端を接着剤のような手段で接着しなければならないからである。
【００６０】
ところが、シーリングボディー４９１の一部領域が接着剤を介して接着されれば、接着剤に接着された領域の弾性力と他の領域の弾性力が互いに違ってシーリング部４９の効果が低下する問題が発生し得る欠点がある。したがって、前記シーリング部４９はＯ字形の断面よりはＣ字形の断面を有するように形成されることが好ましい。
【００６１】
前記シーリングボディー４９１がＣ字形の断面を有するというのはシーリングボディーの断面が閉曲線を形成しないことを意味する。すなわち、前記シーリングボディー４９１は開口部４９９を介してシーリングボディーの内部と外部が連通するから、Ｃ字形の断面を有することになる。
【００６２】
前記開口部４９９は前記シーリングボディー４９１がなす面のうち前記投入口４３１の反対方向に位置する面に備えられることが好ましい。前記開口部４９９が前記投入口４３１に向かう方向に位置すれば、ドア４５の開放時、ドアに残留する洗濯水が前記タブ４に移動することができずに前記開口部４９９に残留することになる問題が発生し得るからである。
【００６３】
その上、前記シーリングボディー４９１の断面がＣ字形に形成されれば、前記投入口４３１が閉曲線形に形成されても投入口４３１の形状と同一の閉曲線形のシーリングボディー４９１を接着なしで成形することができるので、接着面が備えられたシーリングボディーによって発生する問題を防止することができる。
【００６４】
前記シーリングボディー４９１の断面がＣ字形に形成される場合、前記ハンドルの固定部４７が備えられた方向に位置する前記シーリングボディーの自由端の間の距離Ｌ１は前記ヒンジ４５３が備えられた方向に位置する前記シーリングボディーの自由端の間の距離Ｌ３より長く設定されることが好ましい。使用者が固定部４７を分離させることだけでドア４５が投入口４３１から分離できるようにすることによって使用者の便宜を向上させるためである。
【００６５】
シーリングボディー４９１の断面がＯ字形に形成される場合、上述した効果は前記ハンドルの固定部４７が備えられた方向に位置する前記シーリングボディーの直径Ｒ１が前記ヒンジ４５３が備えられた方向に位置する前記シーリングボディーの直径Ｒ２より長く形成されることによって具現されるであろう。
【００６６】
上述した構造を有するシーリングボディー４９１はボディー固定部４９３を介してドアのフレーム４５１に結合されることができる。
【００６７】
前記挿入部４９５は、前記投入口４３１に挿入されて前記投入口４３１の密閉力を高めることができる限り、どんな形状にも形成されることができる。ただ、前記挿入部４９５のうち、前記ヒンジ４５３に平行な領域に備えられた挿入部の長さＬ４は残りの領域に備えられた挿入部の長さＬ３より長く形成されることが好ましい。前記ドア４５が前記投入口４３１を開放したとき、前記ドア４５に残留する水が前記投入口４３１を通じてタブボディー４１に流入することができるようにするためである。
【００６８】
また、前記シーリング部４９には、前記シーリングボディー４９１が前記投入口４３１の方向に押圧されるとき、前記挿入部４９５を前記投入口４３１に密着させる突出部４９７をさらに含むことができる。このために、前記突出部４９７は前記シーリングボディー４９１に備えられるとともに前記挿入部４９５と前記シーリングボディー４９１の下部に位置する自由端の間に位置することが好ましい。
【００６９】
上述した構造を有するタブ４はタブ支持部６を介してドロアーボディー３１に結合される。図２に示したように、前記タブ支持部６は、ドロアーボディー３１に備えられる第１支持部６１、タブボディー４１に備えられる第２支持部６３、及び第１支持部と第２支持部を連結する連結部６５を含むことができる。
【００７０】
前記連結部６５は、第１支持部６１に装着される第１連結部６５１、第２支持部６３を支持する第２連結部６５３、及び前記第１連結部と第２連結部を連結するバー（ｂａｒ）６５５を含むことができる。
【００７１】
前記第１連結部６５１は前記第１支持部６１の内部に装着されるとともに第１支持部６１の内部で運動することができる形状に形成され、前記第２連結部６５３は前記第２支持部６３を支持するとともに第２支持部６３の内部で運動することができる形状に形成されることが好ましい。
【００７２】
図２は第１連結部６５１及び第２連結部６５３が球形に形成された場合を一例として示すものであり、図３は各支持部６１、６３に接触する面が半球形に形成された連結部６５１、６５３を一例として示すものである。
【００７３】
図２に示したように、前記バー６５５は前記キャビネット２の底面に対して直角をなすように形成されることができる（つまり、キャビネットの高さ方向Ｚに平行に形成されるか、あるいはドロアーの底面に直角をなすように形成されることができる）。
【００７４】
前記衣類処理装置は、少なくとも三つ以上のタブ支持部６がタブボディー４１をドロアーボディー３１に結合させるように構成され、前記バー６５５がキャビネットの底面に対して直角をなすように構成されるので、前記バー６５５がＺ軸に対して所定角度で傾くように備えられる場合に比べ、前記タブカバー４３と前記ドロアーカバー３５の間の間隔を増やすことができる。
【００７５】
したがって、前記タブ支持部６は、前記タブボディー４１がドロアーボディー３１の内部で振動しても前記タブカバー４３がドロアーカバー３５に衝突する可能性を最小化することができる。
【００７６】
前記バー６５５がドロアーの底面に対して直角をなすように構成されれば、前記第１支持部６１と第２支持部６３の中で少なくとも一つはドロアーボディー３１に着脱可能に構成されることが好ましい。
【００７７】
前記タブ支持部６が少なくとも三つ以上備えられ、第１支持部６１と第２支持部６３が共にドロアーボディー３１から分離できないように構成されれば、前記タブボディー４１をドロアーボディー３１に固定する作業者は、第２支持部６３が第１支持部６１と干渉しないようにドロアーボディー３１にタブボディー４１を挿入した後、第２支持部６３が第１支持部６１を通過する垂直線上に位置するようにタブボディー４１を回転させることによってこそ第１連結部６５１を第１支持部６１に結合することができる。
【００７８】
ところが、タブ支持部のバー６５５がドロアーの底面に対して直角をなすように構成される特徴は、タブボディー４１の外周面とドロアーボディー３１の内周面の間の間隔Ｓを最小化して衣類処理装置１００の体積を最小化することができるが、上述した過程によって進む第１連結部６５１と第１支持部６１の組立性を悪化させ得る。このような欠点は、前記第１支持部６１がドロアーボディー３１に着脱可能に備えられることによって解決可能である。
【００７９】
前記タブ４の内部に備えられるドラム５は上部に開放面（ドラム開放面）５３が備えられた円筒状のドラムボディー５１でなることができる。前記ドラム開放面５３は前記投入口４３１の下側に位置するので、投入口４３１を通じて供給される衣類はドラム開放面５３を通じてドラムボディー５１に供給されるであろう。
【００８０】
前記ドラムボディー５１の底面５７と円周面５５には、ドラムボディー５１の内部をタブボディー４１と連通させる多数のドラム貫通ホール５９が備えられることができる。
【００８１】
前記ドラムボディー５１は駆動部によってタブボディー４１の内部で回転する。前記駆動部は、タブボディー４１の外部に位置するとともにタブボディーの底面に固定されるステーターＭ１、前記ステーターが提供する回転磁界（ｒｏｔａｔｉｎｇ  ｆｉｅｌｄ）によって回転するローターＭ２、及び前記タブボディー４１の底面を貫くように備えられ、前記ドラムの底面５７とローターＭ３を連結する回転軸Ｍ３を含むことができる。この場合、前記回転軸Ｍ３はタブボディー４１の底面に対して直角をなすように構成されることができる。
【００８２】
上述した構造を有する衣類処理装置１００は、給水部７を介してタブ４に水を供給し、排水部８を介してタブ４に収容された水をキャビネット２の外部へ排出する。
【００８３】
図２に示したように、前記給水部７は、タブカバーに備えられた供給口４３３に連結された第１給水管７１、キャビネットの外部に位置する給水源に連結された第２給水管７３、及び前記タブカバー４３に固定され、前記第１給水管と第２給水管を連結する連結管７５を含むことができる。
【００８４】
前記第１給水管７１はドロアーカバー３５に備えられた第２貫通ホール３５３を介して供給口４３３と連結管７５を連結し、タブ４の振動時に第１給水管７１が連結管７５から分離されることを防止するために波形管でなることができる（図３参照）。
【００８５】
また、前記ドロアー３がキャビネット２から引き出されるとき、第２給水管７３が連結管７５から分離されることを防止するために、第２給水管７３も波形管でなることができる。前記第２給水管７３は制御部によって制御される給水バルブ７７によって開閉される。
【００８６】
前記給水部７はキャビネットの外部に位置する給水源と前記タブカバーに備えられた供給口４３３を連結する単一給水管でなることができる。この場合、前記給水管は波形管でなることが好ましい。
【００８７】
前記排水部８は、ドロアーボディー３１に固定される排水ポンプ８１、前記タブボディー４１の内部の水を排水ポンプ８１に案内する第１配水管８３、及び前記排水ポンプ８１から排出される水をキャビネット２の外部に案内する第２配水管８５を含むことができる。この場合、前記第２配水管８５は波形管でなることができる。
【００８８】
上述した本発明の衣類処理装置１００は、前記ドロアー３がキャビネット２の内部に位置する状態でドア４５が開かれれば、ドロアー３をキャビネット２から引き出しにくい問題が発生し得る。すなわち、キャビネット２の内部でドア４５が開かれれば、ドロアー３がキャビネット２から引き出されるときにドア４５がキャビネットの出入口２１と干渉するため、ドロアー３が引き出されることができない問題が発生し得る。
【００８９】
このような問題を解決するために、前記衣類処理装置１００には、前記ドロアーが前記キャビネットから引き出されるときに前記ドアが前記出入口と干渉することを防止するガイド９５をさらに含むことができる。
【００９０】
図５に示したように、前記ガイド９５はキャビネット２の内部に回転可能に備えられる少なくとも一つのホイール９５３、９５５を含むことができる。この場合、前記ドロアーの上面から前記ホイールの最下端までの距離Ｈ２は前記ドロアーの上面から前記出入口２１までの距離Ｈ１より短く設定されることが好ましい。
【００９１】
前記ホイール９５３、９５５はキャビネット２に直接回転可能に固定されることもでき、キャビネット２に固定されるケース９５１に回転可能に固定されることもできる。
【００９２】
前記出入口２１が開放面２１１とフランジ２１３を含む場合、前記ガイド９５は、ドロアー３がキャビネット２から引き出されるときに前記ドア４５が前記フランジ２１３と干渉することを防止するように構成されなければならない。この場合、前記ドロアーカバー３５から前記ホイールの最下端までの距離Ｈ２は前記ドロアーカバー３５から前記フランジ２１３までの距離より短く設定されることが好ましい。
【００９３】
図５に示したように、前記ドロアー３が前記キャビネット２に挿入されれば、前記ドア４９の末端４５７１は前記ホイール９５３、９５５の回転軸９５３１、９５５１より下側に備えられることができる。また、前記ハンドル４５７の末端４５７１は前記第１ホイール９５３の回転軸９５３１より下側に備えられることが好ましい。
【００９４】
図６に示したように、前記ホイールは、前記ドロアー３の引き出し方向に互いに所定距離だけ離隔して備えられる第１ホイール９５３及び第２ホイール９５５を含むことができる。前記第１ホイール９５３は第１軸９５３１を介してケース９５１に回転可能に固定され、出入口２１の方向に位置する第２ホイール９５５は第２軸９５５１を介して前記ケース９５１に回転可能に固定されることができる。
【００９５】
前記ドロアーの上面から各ホイール９５３、９５５の最下端までの距離は同一に設定されることもでき、互いに違って設定されることもできる。後者の場合、前記ドロアー３の上面から第２ホイール９５５（出入口２１に近い位置に備えられたホイール）の最下端までの距離は前記ドロアー３の上面から第１ホイール９５３の最下端までの距離より短く設定されることが好ましい。
【００９６】
また、前記ドロアー３の上面から第２ホイール９５５の最下端までの距離は前記固定部に備えられた第１締結部４７１を第２締結部４７３に結合可能な長さに設定されることもできる。前記ドロアー３がキャビネット２から引き出されるかキャビネットに挿入される度に前記ガイド９５によってドア４５がタブカバー４３に固定されるようにすることにより、ドア４５によってドロアー３がキャビネット２から引き出されることができない問題が発生しないようにするためである。
【００９７】
前記ドア４５がキャビネット２の内部で投入口４３１を開放すれば、タブボディー４１内部の水が投入口４３１を通じてタブボディーの外部に排出されることができる。このような問題が発生することを防止するために、前記衣類処理装置は前記ドア４５が投入口４３１を開放したかを判断する第１位置感知部をさらに含むこともできる。
【００９８】
前記第１位置感知部９７は、前記キャビネット２と前記ドア４５のいずれか一方に備えられ、磁力を発生させる第１磁力発生部９７３、及び前記キャビネットと前記ドアの他方に備えられ、前記第１磁力発生部９７３が提供する磁力の大きさを感知する第１磁力感知部９７１を含むことができる。
【００９９】
図５は第１磁力発生部９７３がドア４５に固定された永久磁石でなり、前記第１磁力感知部９７１がケース９５１に固定されて前記永久磁石の磁力の大きさを感知するセンサーでなる場合を一例として示すものである。
【０１００】
第１位置感知部９７が備えられた衣類処理装置１００において、第１磁力感知部９９１が感知した磁力（ｍａｇｎｅｔｉｃ  ｆｏｒｃｅ）の大きさが既設定の第１基準磁力未満であれば、制御部は前記ドロアー３がキャビネット２の内部に位置する状態であるだけでなくドア４５が投入口４３１を閉鎖した状態であると判断する。
【０１０１】
しかし、前記第１磁力感知部９７１が感知した磁力の大きさが前記第１基準磁力以上になれば、制御部はキャビネット２の内部に位置するドア４５が投入口４３１を開放したと判断する。
【０１０２】
キャビネット２の内部に位置するドア４５が投入口４３１を開放したと判断されれば、制御部は表示部３３１ｂなどによってドアがキャビネット２の内部で開放したことを使用者に通知（文字信号、記号、音信号、ランプ発光など）することが好ましい。
【０１０３】
前記第１磁力発生部９７３がドア４５に備えられれば、タブの振動時に第１磁力発生部９７３が一緒に振動することになるであろう。前記第１磁力発生部９７３が振動すれば、前記第１磁力発生部９７３と第１磁力感知部９７１の間の距離が変化するので、第１磁力感知部９７１で測定される磁力の大きさも変化するであろう。したがって、前記第１磁力発生部９７３がドア４５に備えられる場合、制御部はドアが投入口を閉鎖した状態にあるにもかかわらず、ドアが投入口を開放したと誤認する問題が発生し得る。
【０１０４】
このような問題を解決するために、制御部は、前記第１磁力感知部９７１が測定した磁力が前記第１基準磁力以上であるかを判断し、測定された磁力が前記第１基準磁力以上である状態が既設定の基準時間以上に持続する場合にのみ投入口が開放したと判断することが好ましい。
【０１０５】
すなわち、前記表示部３３１ｂは、前記第１磁力感知部９７１が測定した磁力が前記第１基準磁力以上である状態が前記基準時間以上に持続した場合にのみ文字信号又は記号を表示するか、音信号を発生させるか、あるいは光を発散するように構成されることが好ましい。
【０１０６】
前記基準時間はドラムが１回転するのに必要な時間より長い時間に設定されることが好ましい。例えば、ドラムが３０ＲＰＭで回転するように設定された場合を想定する。ドラムが３０ＲＰＭで回転するように設定された場合、ドラムが１回転するのにかかる時間は２秒であり、ドラムの内部に衣類が均一に分散されなくてドラムが振動する場合、ドラムの振動はドラムが１回転する度にタブに伝達されるであろう。すなわち、ドラムの振動はドラムが１回転する時間（２秒）を周期でタブに伝達されるであろう。したがって、前記基準時間がドラムの振動がタブに伝達される周期（２秒）より長い時間に設定されれば、タブ又はドアの振動による磁力変化をドアの開放と誤認することを防止することが可能であろう。
【０１０７】
ドアが投入口を閉鎖した状態にあるにもドアが投入口を開放したと誤認する問題は図７及び図８に示した形態の第１位置感知部によっても減らすか除去することもできる。
【０１０８】
図７及び図８に示した第１位置感知部９７は、第１磁力感知部９７１と第１磁力発生部９７３の中でいずれも前記ドア４５に備えられない。したがって、前記タブ３又はドア４５が振動しても第１磁力感知部９７１で測定される第１磁力発生部９７３の磁力は比較的一定に維持されることができる。
【０１０９】
図７の第１位置感知部９７は、前記ケース９５１に備えられて磁力を感知する第１磁力感知部９７１、前記ドア４５が前記投入口４３１を開放すれば、前記第１磁力感知部９７１に向かって回転するボディー９７５、及び前記ボディー９７５に固定される第１磁力発生部９７３を含むことができる。
【０１１０】
前記ボディー９７５は前記ケース９５１から前記ドア４５に向かって伸び、ボディー回転軸９７２を介して前記ケース９５１に回転可能に固定される。また、前記第１位置感知部は、前記ボディー９７５から前記ドア４５に向かって突出し、前記ドア４５が投入口４３１を開放するときに前記ドア４５に接触する接触部９７７をさらに含むこともできる。
【０１１１】
前記ドロアー３がキャビネット２に挿入された状態でドア４５が投入口４３１を開放すれば、前記ボディー９７５は前記ドア４５によって第１磁力感知部９７１に向かって移動するので、前記第１磁力感知部９７１で感知される第１磁力発生部９７３の磁力は増加するであろう。
【０１１２】
したがって、第１磁力感知部９７１が感知した第１磁力発生部９７３の磁力の大きさが前記第１基準磁力以上であれば、制御部は前記ドア４５が投入口４３１を開放した状態であると判断することができる。ドアが投入口を開放したと判断すれば、制御部は前記表示部３３１ｂを介してこれを使用者に通知することができる。
【０１１３】
図８の第１位置感知部９７は、ドア４５の上部に位置するケースに固定された第１磁力感知部９７１、前記ドア４５が前記投入口４３１を開放すれば、前記第１磁力感知部９７１から遠くなる方向に回転するボディー９７５、及び前記ボディー９７５に固定される第１磁力発生部９７３を含むことができる。
【０１１４】
前記ボディー９７５は前記ケース９５１から前記第１磁力感知部９７１に向かって伸びる。前記ボディー９７５はボディー回転軸（図示せず）を介して前記ケース９５１に回転可能に固定されることができる。ただ、ボディー９７５がゴムのような弾性素材でなれば、前記ボディー９７５はボディー締結部９７６を介して前記ケース９５１に固定されるように構成されることもできる。
【０１１５】
前記ボディー９７５は、前記ドア４５に向かって突出し、前記ドア４５が前記投入口４３１を開放したときに前記ドア４５に接触するボディー接触部９７７をさらに含むことができる。
【０１１６】
前記ボディー９７５がドロアー３又はドア４５に向かって回転することを防止するために、前記ケース９５１は、前記ボディー９７５がドア４５に向かって回転することを防止するボディー支持部９５７をさらに含むことができる。前記ボディー支持部９５７は前記ボディー９７５を直接支持するように構成されることもでき、前記ボディーに備えられたボディー突出部９７４を支持するように構成されることもできる。
【０１１７】
前記第１磁力感知部９７１が測定する第１磁力発生部９７３の磁力は前記ドア４５が投入口を閉鎖した状態にあるときに最大になり、前記ドア４５が投入口４３１を開放したときに最小になる。したがって、制御部は、前記第１磁力感知部９７１が感知した磁力の大きさが前記第１基準磁力未満であれば、前記ドア４５が前記投入口４３１を開放したと判断する。
【０１１８】
ドアが投入口を開放したと判断すれば、制御部は前記表示部３３１ｂによってこれを使用者に通知することができるので、前記衣類処理装置はドアが投入口を開放した状態であるかを使用者に通知することができる。
【０１１９】
前記衣類処理装置は、前記ドロアー３がキャビネット２の内部に挿入されたかを判断する第２位置感知部９９をさらに含むことができる。前記第２位置感知部は前記ドロアーが既設定の基準位置に位置する状態であるかを判断する手段であり、前記基準位置は前記ドロアーパネルが出入口を閉鎖する位置が一例となることができる。
【０１２０】
前記第２位置感知部９９は、前記ドロアー３とキャビネット２の一方に備えられ、磁力を発生させる第２磁力発生部９９３、及び前記ドロアー３とキャビネット２の他方に備えられ、前記第２磁力発生部９９３が提供する磁力の大きさを感知する第２磁力感知部９９１を含むことができる。
【０１２１】
前記第２磁力感知部９９１及び前記第２磁力発生部９９３は前記ドロアーパネル３３が出入口２１を閉鎖したかを判断することができる位置にそれぞれ備えられることが好ましい。図面は第２磁力発生部９９３がドロアーカバー３５の前方に固定された永久磁石でなり、前記第２磁力感知部９９１がケース９５１に固定され、前記永久磁石の磁力の大きさを感知するセンサーでなる場合を一例として示すものである。
【０１２２】
ドロアー３がキャビネット２に全く挿入されていない状態で作動すれば、ドラム５の回転時に発生する振動によって前記ドロアー３がキャビネット２から引き出される問題が発生し得る。
【０１２３】
このような問題を防止するために、制御部は、前記第２磁力感知部９９が感知した磁力の大きさが既設定の第２基準磁力より小さければ、表示部によってこれを使用者に通知（文字信号、記号、音信号、ランプ発光など）することができる。
【０１２４】
また、制御部は、使用者が入力部３３１ａを介して制御命令の実行を指示しても、前記第２磁力感知部９９が感知した磁力の大きさが前記第２基準磁力以上になるまで使用者が選択した制御命令の実行を遅延させることもできる。
【図１】
0006377841.tif 000002
【図２】
0006377841.tif 000003
【図３】
0006377841.tif 000004
【図４（ａ）】
0006377841.tif 000005
【図４（ｂ）】
0006377841.tif 000006
【図５】
0006377841.tif 000007
【図６】
0006377841.tif 000008
【図７】
0006377841.tif 000009
【図８】
0006377841.tif 000010